(57)【特許請求の範囲】
【請求項１】
上位電力系統から電力が供給される電力線と、前記電力線に接続されており前記電力線に対して共に電力を供給する第１発電機及び第２発電機と、前記電力線における前記第１発電機と前記第２発電機との間に設けられる開閉器と、を含み、前記電力線が前記開閉器を介してループ状に接続されるループ系統の前記電力線の電圧を安定化させるための電圧安定化制御装置であって、
前記第１発電機及び前記第２発電機での事故の発生を検出する検出部と、
前記検出部の検出結果に基づいて前記開閉器を制御する制御部と、
を備え、
前記開閉器は、前記検出部が前記事故の発生を検出しない間、開いており、
前記制御部は、前記検出部が前記第１発電機及び前記第２発電機のうち何れか一方での前記事故の発生を検出した場合、前記開閉器を閉じるように制御すること
を特徴とする電圧安定化制御装置。
【請求項２】
前記電力線の電圧を測定する測定部、を更に備え、
前記検出部は、前記測定部で測定された前記電力線の電圧が所定電圧より低いときに、前記事故の発生を検出すること
を特徴とする請求項１に記載の電圧安定化制御装置。
【請求項３】
前記電力線は、前記上位電力系統に接続される第１電力線と、前記開閉器の両端に接続される第２電力線及び第３電力線と、前記第１電力線と前記第２電力線との間に接続される第４電力線と、前記第１電力線と前記第３電力線との間に接続される第５電力線と、を含み、
前記第１発電機は、前記第２電力線に接続され、
前記第２発電機は、前記第３電力線に接続され、
前記測定部は、前記第２電力線及び前記第３電力線の電圧を測定し、
前記検出部は、前記測定部で測定された前記第２電力線の電圧が前記所定電圧より低いときに、前記第１発電機での前記事故の発生を検出し、前記測定部で測定された前記第３電力線の電圧が前記所定電圧より低いときに、前記第２発電機での前記事故の発生を検出すること
を特徴とする請求項２に記載の電圧安定化制御装置。
【請求項４】
上位電力系統から電力が供給される電力線と、前記電力線に接続されており前記電力線に対して共に電力を供給する第１発電機及び第２発電機と、前記電力線における前記第１発電機と前記第２発電機との間に設けられる開閉器と、を含み、前記電力線が前記開閉器を介してループ状に接続されるループ系統の前記電力線の電圧を安定化させるための電圧安定化制御方法であって、
前記第１発電機及び前記第２発電機での事故の発生を検出する第１ステップと、
前記検出部の検出結果に基づいて前記開閉器を制御する第２ステップと、
を備え、
前記開閉器は、前記第１ステップにおいて前記事故の発生が検出されない間、開いており、
前記第２ステップは、前記第１ステップにおいて前記第１発電機及び前記第２発電機のうち何れか一方での前記事故の発生が検出された場合、前記開閉器を閉じるように制御すること
を特徴とする電圧安定化制御方法。
【請求項５】
前記第１ステップは、前記電力線の電圧を測定し、測定された前記電力線の電圧が所定電圧より低いときに、前記事故の発生を検出すること
を特徴とする請求項４に記載の電圧安定化制御方法。
【請求項６】
前記電力線は、前記上位電力系統に接続される第１電力線と、前記開閉器の両端に接続される第２電力線及び第３電力線と、前記第１電力線と前記第２電力線との間に接続される第４電力線と、前記第１電力線と前記第３電力線との間に接続される第５電力線と、を含み、
前記第１発電機は、前記第２電力線に接続され、
前記第２発電機は、前記第３電力線に接続され、
前記第１ステップは、前記第２電力線及び前記第３電力線の電圧を測定し、測定された前記第２電力線の電圧が前記所定電圧より低いときに、前記第１発電機での前記事故の発生を検出し、測定された前記第３電力線の電圧が前記所定電圧より低いときに、前記第２発電機での前記事故の発生を検出すること
を特徴とする請求項５に記載の電圧安定化制御方法。
【請求項７】
ループ状に接続され、上位電力系統から電力が供給される電力線と、前記電力線に接続されており前記電力線に対して共に電力を供給する第１発電機及び第２発電機と、を含むループ系統の前記電力線の電圧を安定化させる電圧安定化方法であって、
前記電力線における前記第１発電機と前記第２発電機との間に開閉器を設け、
前記第１発電機及び前記第２発電機での事故の発生を検出し、
前記第１発電機及び前記第２発電機の少なくとも一方で前記事故の発生を検出した場合にのみ、前記開閉器を閉じるように制御すること
を特徴とする電圧安定化方法。
【発明の詳細な説明】
【技術分野】
【０００１】
本発明は、電圧安定化制御装置、電圧安定化制御方法及び電圧安定化方法に関する。
【背景技術】
【０００２】
例えば、上位電力系統から電力が供給される電力線がループ状に接続されたループ系統が知られている（特許文献１）。
【先行技術文献】
【特許文献】
【０００３】
【特許文献１】特開平４−１０１６３０号公報
【発明の概要】
【発明が解決しようとする課題】
【０００４】
例えば、特許文献１のループ系統において、電力線の電圧を安定化させるために図７に示されるように発電機を二重化することがある。図７のループ系統では、上位電力系統４４が電力線５０３に接続され、二重化された発電機４１、４２が電力線５０４に接続されている。例えば、発電機４１、４２の出力の合計が、予め設定されている電力線５１、５３夫々の運用容量（電力線に供給される電力の上限）を超えないように、発電機４１、４２の出力を抑制する必要があり、発電機の運用効率が低下する虞がある。
【課題を解決するための手段】
【０００５】
前述した課題を解決する主たる本発明は、上位電力系統から電力が供給される電力線と、前記電力線に接続されており前記電力線に対して共に電力を供給する第１発電機及び第２発電機と、前記電力線における前記第１発電機と前記第２発電機との間に設けられる開閉器と、を含み、前記電力線が前記開閉器を介してループ状に接続されるループ系統の前記電力線の電圧を安定化させるための電圧安定化制御装置であって、前記第１発電機及び前記第２発電機での事故の発生を検出する検出部と、前記検出部の検出結果に基づいて前記開閉器を制御する制御部と、を備え、前記開閉器は、前記検出部が前記事故の発生を検出しない間、開いており、前記制御部は、前記検出部が前記第１発電機及び前記第２発電機のうち何れか一方での前記事故の発生を検出した場合、前記開閉器を閉じるように制御することを特徴とする電圧安定化制御装置である。
【０００６】
本発明の他の特徴については、添付図面及び本明細書の記載により明らかとなる。
【発明の効果】
【０００７】
本発明によれば、発電機の運用効率を向上させるとともに、電力線の電圧を安定化させることができる。
【図面の簡単な説明】
【０００８】
【図１】本発明の実施形態における電力系統を示す図である。
【図２】本発明の実施形態における負荷の消費電力が所定の消費電力以下のときの、母線の電圧を示す図である。
【図３】本発明の実施形態における負荷の消費電力が所定の消費電力以上のときの、母線の電圧を示す図である。
【図４】本発明の実施形態における制御装置の機能を示すブロック図である。
【図５】本発明の実施形態における制御装置の動作を示すフローチャートである。
【図６】本発明の実施形態における発電機の出力の条件を示す図である。
【図７】ループ系統を示す図である。
【発明を実施するための形態】
【０００９】
本明細書および添付図面の記載により、少なくとも以下の事項が明らかとなる。
【００１０】
＝＝＝電力系統＝＝＝
以下、図１を参照して、本実施形態における電力系統について説明する。図１は、本実施形態における電力系統を示す図である。
【００１１】
電力系統１００は、電気所１０１、１０３、１０４、送電線３１乃至３３、負荷Ｒ１を有している。電力系統１００は、電気所１０１、１０３、１０４が相互に異なったルートの送電線３１乃至３３で環状に接続されたループ系統である。具体的には、母線３０３、送電線３２、母線３０１、送電線３１、母線３０４、母線３０５、送電線３３が開閉器ＣＢ１を介してループ状に接続されてループ系統が形成されている。
【００１２】
電気所１０３は、上流側の電力系統の発電機２３乃至２５（上位電力系統）からの電力が供給される例えば一次変電所である。電気所１０３の母線３０３には、電力系統１００よりも上流側の発電機２３乃至２５が接続される。
【００１３】
電気所１０４は、電気所１０３よりも下流側に設けられている例えば発電所である。電気所１０４は、母線３０４、３０５、開閉器ＣＢ１、測定装置６１、６２（測定部）、発電機２１（第１発電機）、発電機２２（第２発電機）、制御装置７を備えている。母線３０４と母線３０５の間には、開閉器ＣＢ１が設けられる。つまり、母線３０４、３０５は、開閉器ＣＢ１の両端に接続される。尚、制御装置７及び測定装置６１、６２が電圧安定化制御装置に相当する。
【００１４】
開閉器ＣＢ１は、母線３０４と母線３０５との間を遮断（以下、「開閉器ＣＢ１が開いている」とも称する）したり、母線３０４と母線３０５とを接続（以下、「開閉器ＣＢ１が閉じている）とも称する）したりするための例えば母線連絡用遮断器である。開閉器ＣＢ１は、母線３０４と母線３０５との間に設けられる。例えば、開閉器ＣＢ１は、制御装置７で発電機２１又は発電機２２の事故の発生が検出されない間、母線３０４と母線３０５との間を遮断しているものとする。尚、開閉器ＣＢ１については、後述する。
【００１５】
発電機２１は、発電機２１で発電された電力が母線３０４に供給されるように、母線３０４に接続される。発電機２２は、発電機２２で発電された電力が母線３０５に供給されるように、母線３０５に接続される。尚、発電機２１、２２については、後述する。測定装置６１は、所定時間毎に母線３０４の電圧を測定して、当該測定結果を示す測定信号Ｍ１を出力する。測定装置６２は、所定時間毎に母線３０５の電圧を測定して、当該測定結果を示す測定信号Ｍ２を出力する。制御装置７は、発電機２１及び発電機２２の事故の発生を検出し、当該検出結果に基づいて開閉器ＣＢ１を制御する。尚、制御装置７については、後述する。
【００１６】
電気所１０１は、電気所１０３よりも下流側に設けられている例えば二次変電所である。電気所１０１の母線３０１には、負荷Ｒ１が接続されている。  
負荷Ｒ１は、変電所１０１から供給された電力によって動作する例えば工場等の電気機器である。
【００１７】
尚、母線３０１、母線３０３、母線３０４、母線３０５、送電線３１乃至３３が電力線に相当する。母線３０３、母線３０４、母線３０５、送電線３３が夫々、第１電力線、第２電力線、第３電力線、第５電力線に相当する。送電線３１と送電線３２と母線３０１とが第４電力線に相当する。
【００１８】
＝＝＝負荷、母線の電圧＝＝＝
以下、図１を参照して、本実施形態における負荷、母線の電圧について説明する。  
負荷Ｒ１は、母線３０１から電力が供給される。負荷Ｒ１では、例えば、季節、一日のうちの時間等に基づいて消費電力が変動する。母線３０１には、負荷Ｒ１の消費電力に応じて、送電線３１と送電線３２の双方から電力が供給される。
【００１９】
一般に、送電線３１の受電端３１Ａの電圧は、送電端３１Ｂの電圧よりも低くなる。又、送電線３１の電圧低下幅は、送電線３１に供給される電力の大きさに応じて変動する。尚、送電線３１の電圧低下幅とは、例えば、送電線３１の送電端３１Ｂの電圧に対して受電端３１Ａの電圧がどれだけ低下しているかの電圧幅を示すこととする。
【００２０】
又、一般に、送電線３１を介して母線３０１に供給される電力が増大するにつれて、送電線３１の電圧低下幅は大きくなる。例えば、母線３０４の電圧が一定に保たれているときに、送電線３１を介して母線３０４から母線３０１に供給される電力が増大した場合、送電線３１の電圧低下幅は大きくなる。一方、例えば、母線３０４の電圧が一定に保たれているときに、送電線３１を介して母線３０４から母線３０１に供給される電力が減少した場合、送電線３１の電圧低下幅は小さくなる。尚、送電線３２の電圧低下幅は、送電線３１の電圧低下幅と同様であるので、その説明は省略する。
【００２１】
又、送電線３１及び送電線３２に供給される電力は、負荷Ｒ１の消費電力の増減に応じて増減する。よって、送電線３１の電圧低下幅及び送電線３２の電圧低下幅は、負荷Ｒ１の消費電力の増減に応じて増減することとなる。従って、例えば、母線３０３の電圧と母線３０４の電圧とが共に一定に保たれている状態で、負荷Ｒ１の消費電力が増大した場合、送電線３１の電圧低下幅及び送電線３２の電圧低下幅が増大して、母線３０１の電圧は低下することとなる。一方、例えば、母線３０３の電圧と母線３０４の電圧とが共に一定に保たれている状態で、負荷Ｒ１の消費電力が減少した場合、送電線３１の電圧低下幅及び送電線３２の電圧低下幅が減少して、母線３０１の電圧は上昇することとなる。
【００２２】
ここで、母線３０１の電圧は、負荷Ｒ１を正常に動作させる電圧が負荷Ｒ１に供給されるように、維持されるのが望ましい。母線３０１の電圧は、例えば第１電圧Ｖ１（図２）以上となるように維持（安定化）されるのが望ましい。尚、第１電圧Ｖ１は、例えば、負荷Ｒ１が正常に動作できるか否かに基づいて、予め設定されている電圧値とする。例えば、母線３０１の電圧が第１電圧Ｖ１を下回った場合、負荷Ｒ１が正常に動作しない虞があるものとする。一方、例えば、母線３０１の電圧が第１電圧Ｖ１以上となった場合、負荷Ｒ１は正常に動作するものとする。
【００２３】
＝＝＝送電線の運用容量、発電機の出力＝＝＝
以下、図１を参照して、本実施形態における送電線の運用容量、発電機の出力について説明する。
【００２４】
送電線３１の運用容量とは、送電線３１に対して供給されるべき電力の上限値として予め設定されている電力値である。電力系統１００は、送電線３１の運用容量以上の電力が送電線３１を介して送電線されないように、制御される。送電線３１の運用容量は、例えば、送電線３１に対して供給される電力に基づいて発生する熱が、送電線３１の熱容量を超過しないような値に設定されている。送電線３１の運用容量は、送電線３１の設計仕様等に基づいて予め設定されているものとする。尚、送電線３２の運用容量の構成、及び送電線３３の運用容量の構成は、送電線３１の運用容量の構成と同様であるので、その説明は省略する。
【００２５】
発電機２１、２２の出力は、送電線３１乃至３３の運用容量に応じて調整される（図６）。更に、発電機２１、２２の出力は、母線３０１の電圧が第１電圧以上となるように調整される（図６）。尚、発電機２１は、例えば、発電機２１の出力として、出力電力及び出力電圧を調整できるものとする。発電機２２の構成も、発電機２１の構成と同様とする。
【００２６】
発電機２１の出力は、例えば、開閉器ＣＢ１が開いているときに、母線３０１の電圧が第１電圧以上となるように調整される。つまり、送電線３２を介して母線３０１に供給される電力（以下、「上位電力系統からの電力」とも称する）に基づく電圧と、送電線３１から母線３０１に供給される電力に基づく電圧とによって、母線３０１の電圧は、第１電圧以上に維持されこととなる。更に、発電機２１の出力は、例えば、送電線３１乃至３３の運用容量以下となるように調整される。
【００２７】
発電機２２の出力は、例えば、発電機２１での事故によって発電機２１の出力が停止しており、且つ、開閉器ＣＢ１が閉じているときに、母線３０１の電圧が第１電圧以上となるように調整される。つまり、上位電力系統からの電力に基づく電圧と、送電線３１から母線３０１に供給される電力に基づく電圧とによって、母線３０１の電圧は、第１電圧以上に維持されこととなる。更に、発電機２２の出力は、例えば、送電線３１乃至３３の運用容量以下となるように調整される。
【００２８】
＝＝＝発電機２１の出力と母線の電圧＝＝＝
以下、図１、図２を参照して、本実施形態における発電機の出力と母線の電圧について説明する。図２は、本実施形態における負荷の消費電力が所定の消費電力以下のときの、母線の電圧を示す図である。図２では、遮断器ＣＢ１が常時開いている状態で発電機２１の出力が停止していないときの受電端３２Ａの電圧、母線３０１の電圧、受電端３１Ａの電圧が示されている。又、図２では、遮断器ＣＢ１が常時開いている状態で発電機２１の出力が停止したときの受電端３２Ａの電圧、母線３０１の電圧、受電端３１Ａの電圧が示されている。尚、図２の電圧は、例えば、シミュレーション等に基づいて算出されることとする。尚、説明の便宜上、発電機２１、２２の出力が停止しているか否かに関わらず、遮断器ＣＢ１が常時開いているものとして、母線３０１の電圧について説明する。
【００２９】
＜発電機２１の出力が停止していないとき＞
負荷Ｒ１の消費電力に応じて、送電線３１、３２から、母線３０１に電力が供給される。
【００３０】
例えば、上位電力系統からの電力に基づいて、受電端３２Ａの電圧が電圧Ｖ１２となる。ここで、母線３０１の電圧が第１電圧Ｖ１以上の電圧Ｖ１３となるように、発電機２１の出力が調整されていることとする。このとき、発電機２１の電圧は、比較的高くなる。受電端３２Ａの電圧と受電端３１Ａの電圧とによって、母線３０１の電圧は、受電端３２Ａの電圧Ｖ１２と受電端３１Ａの電圧Ｖ１４とを例えば平均した電圧Ｖ１３となる。
【００３１】
＜発電機２１の出力が停止しているとき＞
例えば、発電機２１で事故が発生し、発電機２１の出力が停止した場合、送電線３１、３２のうちの送電線３２のみから母線３０１に電力が供給されることとなる。送電線３２を介して母線３０１に供給される電力が増大し、送電線３２の電圧低下幅は大きくなる。そして、受電端３２Ａの電圧が電圧Ｖ１２から電圧Ｖ１１に低下することとなる。発電機２１の出力は停止しており、且つ、遮断器ＣＢ１が開いているので、受電端３１Ａの電圧と母線３０１の電圧は、受電端３２Ａの電圧Ｖ１１と略等しくなる。
【００３２】
＝＝＝負荷の消費電力と母線の電圧＝＝＝
以下、図１乃至図３を参照して、本実施形態における負荷の消費電力と母線の電圧について説明する。図３は、本実施形態における負荷の消費電力が所定の消費電力以上のときの、母線の電圧を示す図である。図３では、遮断器ＣＢ１が常時開いている状態で発電機２１の出力が停止していないときの受電端３２Ａの電圧、母線３０１の電圧、受電端３１Ａの電圧が示されている。又、図３では、遮断器ＣＢ１が常時開いている状態で発電機２１の出力が停止したときの受電端３２Ａの電圧、母線３０１の電圧、受電端３１Ａの電圧が示されている。尚、図３の電圧は、例えば、シミュレーション等に基づいて算出されることとする。尚、説明の便宜上、発電機２１、２２の出力が停止しているか否かに関わらず、遮断器ＣＢ１が常時開いているものとして、母線３０１の電圧について説明する。
【００３３】
発電機２１の出力が停止した際の受電端３２Ａの電圧変動幅Ｖ３１（図２）は、発電機２１の出力の停止に基づいて、送電線３２から母線３０１に供給される電力が増大する電力増大幅に依存することとなる。よって、例えば、負荷Ｒ１の消費電力が比較的大きいときに発電機２１が停止した場合、受電端３２Ａの電圧変動幅Ｖ３１は比較的大きくなり、負荷Ｒ１の消費電力が比較的小さいときに発電機２１が停止した場合、受電端３２Ａの電圧変動幅Ｖ３１は比較的小さくなる。尚、このとき、発電機２１から母線３０１へは電力が供給されておらず、且つ、遮断器ＣＢ１が開いているので、受電端３１Ａの電圧及び母線３０１の電圧は、受電端３２Ａの電圧と略同様な電圧となる。
【００３４】
例えば、発電機２１の出力が停止していない場合、受電端３２Ａの電圧は、第１電圧Ｖ１よりも高い電圧Ｖ１２（図２）、電圧Ｖ２２（図３）となることとする。例えば、負荷Ｒ１の消費電力が所定の消費電力ＰＬ１以下のとき（図２）に、発電機２１の出力が停止した場合、受電端３２Ａの電圧は、電圧Ｖ１２よりも低く且つ第１電圧Ｖ１よりも高い電圧Ｖ１１となることとする。又、例えば、負荷Ｒ１の消費電力が所定の消費電力ＰＬ１以上のとき（図３）に、発電機２１の出力が停止した場合、受電端３２Ａの電圧Ｖ２１は、第１電圧Ｖ１よりも低い電圧Ｖ２１となることとする。尚、このとき、発電機２１から母線３０１へは電力が供給されておらず、且つ、遮断器ＣＢ１が開いているので、受電端３１Ａの電圧及び母線３０１の電圧は、受電端３２Ａの電圧と略同様な電圧となる。
【００３５】
つまり、例えば、開閉器ＣＢ１が常時開いており、且つ、負荷Ｒ１の消費電力が所定の消費電力ＰＬ１以下のときに、発電機２１の出力が停止した場合、母線３０１の電圧は第１電圧Ｖ１以上に維持される。一方、例えば、開閉器ＣＢ１が常時開いており、且つ、負荷Ｒ１の消費電力が所定の消費電力ＰＬ１以上のときに、発電機２１の出力が停止した場合、母線３０１の電圧は第１電圧Ｖ１以下に低下する。
【００３６】
＝＝＝開閉器＝＝＝
以下、図１を参照して、本実施形態における開閉器について説明する。  
開閉器ＣＢ１は、母線３０４と母線３０５との間を開閉する。  
開閉器ＣＢ１が母線３０４と母線３０５との間を開いた場合、母線３０４と母線３０５は電気的に遮断された状態となる。このとき、発電機２１と発電機２２との間は電気的に遮断された状態となる。従って、例えば、発電機２１の出力と発電機２２の出力との合計出力が、電気所１０４から送電線３１に直接供給されたり、送電線３３に直接供給されたりするのが防止されることとなる。
【００３７】
開閉器ＣＢ１が母線３０４と母線３０５との間を閉じた場合、母線３０４と母線３０５とは電気的に接続された状態となる。このとき、発電機２１、２２の双方が母線３０５及び母線３０４に対して電気的に接続されることとなる。
【００３８】
例えば、開閉器ＣＢ１は、制御装置７から出力される制御信号Ｍ３を受信したときに、母線３０４と母線３０５との間を閉じるものとする。一方、例えば、開閉器ＣＢ１は、制御装置７から出力される制御信号Ｍ３を受信しない間、母線３０４と母線３０５との間を開いているものとする。つまり、開閉器ＣＢ１は、制御装置７で発電機２１又は発電機２２の事故が検出されない間は、常時開いているものとする。
【００３９】
尚、例えば、電気所１０４内の作業員による開閉器ＣＢ１のマニュアル操作により、母線３０４と母線３０５との間は開かれることとしてもよい。尚、例えば、開閉器ＣＢ１には、開閉器ＣＢ１をマニュアルで操作するための操作レバーが設けられていることとする。
【００４０】
＝＝＝制御装置＝＝＝
以下、図１、図４を参照して、本実施形態における開閉器について説明する。図４は、本実施形態における制御装置の機能を示すブロック図である。
【００４１】
制御装置７は、開閉器ＣＢ１を制御するための装置である。制御装置７は、送受信部７１、検出部７２、記憶部７３、入力部７４、開閉器制御部７５（制御部）、動作制御部７６を有している。
【００４２】
送受信部７１は、測定信号Ｍ１、Ｍ２を受信する。送受信部７１は、制御信号Ｍ３を出力する。  
記憶部７３は、例えば、第１の領域７３１、第２の領域７３２を有する。第１の領域７３１には、制御装置７を動作させるためのプログラムが記憶されている。第２の領域７３２には、第１の閾値電圧情報、及び、第２の閾値電圧情報が記憶されている。
【００４３】
第１の閾値電圧情報は、第１の閾値電圧（所定電圧）の電圧値を示す情報である。第１の閾値電圧は、測定信号Ｍ１に示されている母線３０４の電圧値と比較される。第１の閾値電圧は、例えば、開閉器ＣＢ１が開いている状態で、発電機２１が停止していないときの母線３０４の電圧値よりも低く設定される。更に、第１の閾値電圧は、例えば、開閉器ＣＢ１が開いている状態で、発電機２１の出力が停止したときの母線３０４の電圧値よりも高く設定される。第１の閾値電圧は、発電機２１の出力が停止したことを検出するのに用いられる。第１の閾値電圧は、例えば、負荷Ｒ１の電力消費量の予測等に基づいて例えばシミュレーションで算出されるものとしてもよい。
【００４４】
又、第２の閾値電圧情報は、第２の閾値電圧（所定電圧）の電圧値を示す情報である。第２の閾値電圧は、測定信号Ｍ２に示されている母線３０５の電圧値と比較される。第２の閾値電圧は、例えば、開閉器ＣＢ１が開いている状態で、発電機２２が停止していないときの母線３０５の電圧値よりも低く設定される。更に、第２の閾値電圧は、例えば、開閉器ＣＢ１が開いている状態で、発電機２２の出力が停止したときの母線３０５の電圧値よりも高く設定される。第２の閾値電圧は、発電機２２の出力が停止したことを検出するのに用いられる。第２の閾値電圧は、例えばシミュレーションで算出されるものとしてもよい。尚、第１の閾値電圧と第２の閾値電圧とは、相互に同様な電圧値としてもよいし、相互に異なる電圧値としてもよい。
【００４５】
入力部７４は、制御装置７に対して情報を入力するための、例えばキーボードである。  
検出部７２は、測定信号Ｍ１に示されている母線３０４の電圧が、第１の閾値電圧よりも低いか否かを判定し、当該判定結果に基づいて、母線３０４の電圧が第１の閾値電圧よりも低いことを検出する。更に、検出部７２は、測定信号Ｍ２に示さていれる母線３０５の電圧が、第２の閾値電圧よりも低いか否かを判定し、当該判定結果に基づいて、母線３０５の電圧が第２の閾値電圧よりも低いことを検出する。ここで、例えば、発電機２１で事故が発生したとき、発電機２１の出力が停止する。この場合、母線３０４の電圧が第１の閾値電圧よりも低くなるものとする。又、例えば、発電機２２で事故が発生したとき、発電機２２の出力が停止する。この場合、母線３０５の電圧が第２の閾値電圧よりも低くなるものとする。つまり、検出部７２は、母線３０４の電圧に基づいて、母線３０４の電圧が第１の閾値電圧よりも低いときに、発電機２１の事故の発生を検出していることとなる。更に、検出部７２は、母線３０５の電圧に基づいて、母線３０５の電圧が第２の閾値電圧よりも低いときに、発電機２２の事故の発生を検出していることとなる。
【００４６】
開閉器制御部７５は、検出部７２の検出結果に基づいて、送受信部７１から制御信号Ｍ３を出力させる。例えば、検出部７２が、母線３０４の電圧が第１の閾値電圧よりも低いことを検出した場合、開閉器制御部７５は、送受信部７１から制御信号Ｍ３を出力させる。又、例えば、検出部７２が、母線３０５の電圧が第２の閾値電圧よりも低いことを検出した場合、開閉器制御部７５は、送受信部７１から制御信号Ｍ３を出力させる。一方、例えば、検出部７２が、母線３０４の電圧が第１の閾値電圧よりも低いことを検出せず、且つ、母線３０５の電圧が第２の閾値電圧よりも低いことを検出しない場合、開閉器制御部７５は、制御信号Ｍ３を出力させない状態となる。つまり、開閉器制御部７５は、検出部７２の検出結果に基づいて開閉器ＣＢ１を制御していることとなる。そして、開閉器制御部７５は、検出部７２が発電機２１又は発電機２２のうち何れか一方での事故の発生を検出した場合に、開閉器ＣＢ１を閉じるように制御していることとなる。そして、開閉器ＣＢ１は、制御装置７によって閉じられる以外の常時は、開いていることとなる。
【００４７】
動作制御部７６は、第１の領域７３１に記憶されているプログラムに基づいて、制御装置７の動作を制御する。
【００４８】
＝＝＝制御装置の動作＝＝＝
以下、図１、図５、図６を参照して、本実施形態における制御装置の動作について説明する。図５は、本実施形態における制御装置の機能を示すブロック図である。図６は、本実施形態における発電機の出力の条件を示す図である。
【００４９】
発電機２１、２２の出力は、図６に示される条件を満たすように調整される。又、前述したように、開閉器ＣＢ１は、開いた状態となっているので、例えば、発電機２１の出力と発電機２２の出力との合計出力が、例えば送電線３１乃至３３のインピーダンス等に基づいて、電気所１０４から送電線３１に直接供給されたり、送電線３３に直接供給されたりするのが防止されることとなる。つまり、送電線３１乃至３３に対して夫々、送電線３１乃至３３の運用容量を超えた電力が発電機２１及び発電機２２から供給されるのが防止されている。
【００５０】
第１の領域７３１（図４）に記憶されたプログラムの実行が開始されて、動作制御部７６が制御装置７の動作の制御を開始したところから説明する。
【００５１】
制御装置７は、測定装置６１及び測定装置６２から夫々測定情報Ｍ１及び測定情報Ｍ２を受信する（ステップＳ１）。  
制御装置７は、測定信号Ｍ１に示されている母線３０４の電圧と第１の閾値電圧に基づいて、発電機２１での事故が発生しているか否かの判断を行う。更に、検出部７２は、測定信号Ｍ２に示さていれる母線３０５の電圧と第２の閾値電圧に基づいて、発電機２２での事故が発生しているか否かの判断を行う。（ステップＳ２）。
【００５２】
例えば、発電機２１での事故が発生していないと判断され、且つ、発電機２１での事故が発生していないと判断された場合（ステップＳ２のＮＯ）、上記ステップＳ１の制御動作を行った後、ステップＳ２の判断を再度行う。一方、例えば、少なくとも、発電機２１又は発電機２２での事故が発生していると判断された場合（ステップＳ２のＹＥＳ）、制御装置７は、制御信号Ｍ３を開閉器ＣＢ１に出力する。
【００５３】
開閉器ＣＢ１は、制御装置７から出力される制御信号Ｍ３を受信したときに、母線３０４と母線３０５との間を接続する（ステップＳ３）。母線３０４と母線３０５とが接続されることとなる
前述したように、母線３０１、３０３、３０４、３０５、送電線３１乃至３３は開閉器ＣＢ１を介してループ状に接続されてループ系統を形成している。母線３０３には、発電機２３乃至２５から電力が供給される。発電機２１、２２は夫々、母線３０４、３０５に接続される。開閉器ＣＢ１は、母線３０４と母線３０５との間に設けられる。検出部７２は、発電機２１及び発電機２２での事故の発生を検出する。開閉器制御部７５は、検出部７２の検出結果に基づいて開閉器ＣＢ１を制御する。開閉器ＣＢ１は、検出部７２が発電機２１の事故及び発電機２２の事故を検出しない間、開いている。開閉器制御部７５は、検出部７２が発電機２１及び発電機２２のうち何れか一方での事故の発生を検出した場合、開閉器ＣＢ１を閉じるように制御信号Ｍ３を送受信部７１から出力させる。発電機２１の事故の発生又発電機２２の事故の発生が検出されない間、発電機開閉器ＣＢ１は、開いた状態となっている。よって、発電機２１の出力と発電機２２の出力との合計出力が、電気所１０４から送電線３１に直接供給されたり、送電線３３に直接供給されたりするのが防止されている。つまり、電力系統１００では、例えば、発電機２１の出力と発電機２２の出力との合計出力が送電線３１乃至３３の運用容量以下になるように、発電機２１の出力及び発電機２２の出力を抑制する必要がない。従って、発電機２１及び発電機２２の運用効率を向上させることができる。又、例えば、発電機２１の事故で発電機２１の出力が停止したとき、開閉器ＣＢ１が閉じて母線３０４と母線３０５とが接続されるので、発電機２２の出力は、母線３０５、開閉器ＣＢ１、母線３０４、送電線３１を介して母線３０１に供給されることとなる。つまり、母線３０１に対して送電線３２のみから電力が供給されることに起因して、母線３０１の電圧が第１電圧Ｖ１１以下となるのを防止して、母線３０１の電圧を安定化させることができる。以上より、発電機２１、２２の運用効率を向上させるとともに、電力系統１００の電圧を安定化させることができる。
【００５４】
又、測定装置６１、６２は夫々、母線３０４、３０５の電圧を測定する。検出部７２は、測定装置６１で測定された母線３０４の電圧が第１の閾値電圧より低いときに、発電機２１の事故の発生を検出する。検出部７２は、測定装置６２で測定された母線３０５の電圧が第２の閾値電圧よりも低いときに、発電機２２の事故の発生を検出する。よって、母線３０４、３０５の電圧が低下したことにより、発電機２１、２２での事故により例えば発電機２１、２２の出力が停止していることを確実に検出することができる。従って、発電機２１、２２の出力が停止していることを検出して、遮断器ＣＢ１を閉じることにより電力系統１００の電圧を確実に安定化させることができる。
【００５５】
又、母線３０３には発電機２３乃至２５が接続される。開閉器ＣＢ１の両端には母線３０４、３０５が接続される。母線３０３と母線３０４との間には、送電線３１、３２、母線３０１が接続される。母線３０３と母線３０５の間には、送電線３３が接続される。発電機２１は、母線３０４に接続される。発電機２２は、母線３０５に接続される。測定装置６１、６２は夫々、母線３０４、３０５の電圧を測定する。検出部７２は、測定装置６１で測定された母線３０４の電圧が第１の閾値電圧より低いときに、発電機２１の事故の発生を検出する。検出部７２は、測定装置６２で測定された母線３０５の電圧が第２の閾値電圧よりも低いときに、発電機２２の事故の発生を検出する。例えば、発電機２１で事故が発生して発電機２１の出力が停止した場合、母線３０４の電圧が比較的大きく低下する。又、例えば、発電機２２で事故が発生して発電機２２の出力が停止した場合も同様に、母線３０５の電圧が比較的大きく低下する。従って、発電機２１の事故及び発電機２２の事故を確実に検出することができる。従って、発電機２１の事故および発電機２２の事故を確実に検出して、遮断器ＣＢ１を閉じることにより電力系統１００の電圧を確実に安定化させることができる。
【００５６】
又、母線３０１、３０３、３０４、３０５、送電線３１乃至３３は開閉器ＣＢ１を介してループ状に接続されてループ系統を形成している。母線３０３には、発電機２３乃至２５から電力が供給される。発電機２１、２２は夫々、母線３０４、３０５に接続される。開閉器ＣＢ１は、母線３０４と母線３０５との間に設けられる。発電機２１及び発電機２２での事故の発生を検出部７２で検出する第１ステップの後、検出部７２の検出結果に基づいて開閉器ＣＢ１を制御する第２ステップを行う。開閉器ＣＢ１は、上記第１ステップにおいて発電機２１及び発電機２２での事故の発生が検出されない間、開いている。第２ステップでは、第１ステップにおいて発電機２１及び発電機２２のうち何れか一方での事故の発生が検出された場合、開閉器ＣＢを閉じるように制御装置７が制御信号Ｍ３を出力する。よって、前述のように、発電機２１、２２の運用効率を向上させるとともに、電力系統１００の電圧を安定化させることができる。
【００５７】
又、上記第１ステップでは、電力線３０４の電圧を測定し、測定された電力線３０４の電圧が第１の閾値電圧より低いときに、発電機２１での事故の発生を検出する。又、上記第１ステップでは、電力線３０５の電圧を測定し、測定された電力線３０５の電圧が第１の閾値電圧より低いときに、発電機２２での事故の発生を検出する。よって、母線３０４、３０５の電圧が低下したことにより、発電機２１、２２での事故により例えば発電機２１、２２の出力が停止していることを確実に検出することができる。従って、発電機２１、２２の出力が停止していることを検出して、遮断器ＣＢ１を閉じることにより電力系統１００の電圧を確実に安定化させることができる。
【００５８】
又、母線３０３には発電機２３乃至２５が接続される。開閉器ＣＢ１の両端には母線３０４、３０５が接続される。母線３０３と母線３０４との間には、送電線３１、３２、母線３０１が接続される。母線３０３と母線３０５の間には、送電線３３が接続される。発電機２１は、母線３０４に接続される。発電機２２は、母線３０５に接続される。測定装置６１、６２は夫々、母線３０４、３０５の電圧を測定する。上記第１ステップでは、電力線３０４の電圧を測定し、測定された電力線３０４の電圧が第１の閾値電圧より低いときに、発電機２１での事故の発生を検出する。又、上記第１ステップでは、電力線３０５の電圧を測定し、測定された電力線３０５の電圧が第１の閾値電圧より低いときに、発電機２２での事故の発生を検出する。検出部７２は、測定装置６２で測定された母線３０５の電圧が第２の閾値電圧よりも低いときに、発電機２２の事故の発生を検出する。従って、前述のように、発電機２１の事故および発電機２２の事故を確実に検出して、遮断器ＣＢ１を閉じることにより電力系統１００の電圧を確実に安定化させることができる。
【００５９】
又、母線３０１、母線３０３、母線３０４、母線３０５、送電線３１乃至３３はループ状に接続される。母線３０３には、発電機２３乃至２５から電力が供給される。発電機２１、２２は夫々母線３０４、３０５に接続される。発電機２１及び発電機２２の間に開閉器ＣＢ１を設け、発電機２１の事故の発生及び発電機２２の事故の発生を検出し、発電機２１、２２の少なくとも一方で事故の発生を検出した場合にのみ、開閉器ＣＢ１が閉じられる。よって、発電機２１と発電機２２との間を開閉することができる。よって、前述のように、発電機２１、２２の運用効率を向上させるとともに、電力系統１００の電圧を安定化させることができる。
【００６０】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６１】
本実施形態においては、母線３０４、３０５の電圧値に基づいて発電機２１、２２の事故の発生を検出する構成について説明したが、これに限定されるものではない。例えば、発電機２１、２２での事故が発生したとき、発電機２１、２２が当該事故の発生を示す事故信号を出力し、制御装置７は、当該事故信号に基づいて発電機２１、２２での事故の発生を検出することとしてもよい。例えば、発電機２１、２２の事故に基づいて発電機２１、２２の出力が停止したときに、発電機２１、２２が当該事故の発生を検知し事故信号を出力することとする。制御装置７は、発電機２１からの事故信号を受信したときに発電機２１の事故の発生を検出し、発電機２２からの事故信号を受信したときに発電機２２の事故の発生を検出するものとする。この場合、測定装置６１及び測定装置６２を設ける必要が無いので、電力系統１００を運用するときの運用コストを抑えることができる。
【００６２】
又、本実施形態においては、測定装置６１によって測定された母線３０４の電圧値に基づいて発電機２１の事故の発生を検出する構成について説明したが、これに限定されるものではない。例えば、母線３０１の電圧を測定するための測定装置を電気所１０１内に設けて、当該測定装置の測定結果に基づいて発電機２１の事故の発生を検出することとしてもよい。
【００６３】
又、本実施形態においては、制御装置７が電気所１０４内に設けられる構成について説明したが、これに限定されるものではない。例えば、電力系統１００を集中制御するための制御所（不図示）に制御装置７が設けられることとしてもよい。
【符号の説明】
【００６４】
７                  制御装置
２１、２２          発電機
３１、３２、３３    送電線
３１Ａ、３２Ａ      受電端
６１、６２          測定装置
７２                検出部
７５                開閉器制御部
１００              電力系統
１０１、１０３、１０４          電気所
３０１、３０３、３０４、３０５  母線
ＣＢ１              開閉器
Ｒ１                負荷
【図１】
0005485343.tif 000002
【図２】
0005485343.tif 000003
【図３】
0005485343.tif 000004
【図４】
0005485343.tif 000005
【図５】
0005485343.tif 000006
【図６】
0005485343.tif 000007
【図７】
0005485343.tif 000008